【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  双方向テレビ番組ガイドシステムのユーザがテレビ番組リスト項目をサーチすることを可能にする方法であって、リモコンは、ユーザテレビ機器上に少なくとも部分的に実装されている双方向テレビ番組ガイドとインターフェースをとるように用いられ、該方法は、
所与の番組に関する映像を含む表示画面を表示することと、
該所与の番組に関する映像が表示されている間に、該ユーザが該リモコン上の単一のキーを用いて、該番組ガイドシステムに命令することにより、該所与の番組の属性に基づいて該所与の番組に関連する番組リスト項目を見つけ出すことを可能にすることと、
該システムによって見つけ出された該番組リスト項目を含む表示画面を表示することと
を包含する、方法。
【請求項２】  前記システムによって見つけ出された前記番組リスト項目を表示のためにソートすることをさらに包含する、請求項１に記載の方法。
【請求項３】  前記表示された番組リスト項目の中から任意の番組リスト項目を選択する機会を前記ユーザに提供することをさらに包含する、請求項１に記載の方法。
【請求項４】  前記ユーザが前記表示されたリスト項目の中から特定の番組に関するリスト項目を選択した場合に、該特定の番組にチューニングすることをさらに包含する、請求項３に記載の方法。
【請求項５】  現在の番組をリスト化する前記表示されたリスト項目の中から特定のリスト項目を前記ユーザが選択した場合に、現在の番組にチューニングすることをさらに包含する、請求項３に記載の方法。
【請求項６】  前記ユーザが特定のリスト項目を選択した場合に、前記表示されているリスト項目の中の特定のリスト項目に関連する情報を含む情報表示画面を表示することをさらに包含する、請求項３に記載の方法。
【請求項７】  前記所与の番組の属性に基づいて番組を見つけ出すことをさらに包含する、請求項１に記載の方法。
【請求項８】  ユーザテレビ機器と、該ユーザテレビ機器とインターフェースをとるリモコンとを有する双方向テレビ番組ガイドシステムにおいて用いられる方法であって、該方法は、番組をサーチするためのものであり、該方法は、
所与の番組に関する映像を含む表示画面を表示することと、
該所与の番組に関する映像が表示されている間に、該ユーザが該リモコン上の単一のキーを用いて、該番組ガイドシステムに命令することにより、該所与の番組に関する複数の番組属性を含む表示画面を表示することを可能にすることと、
該表示画面上の番組属性に様々な重要性レベルを割り当てる機会を該ユーザに提供することと、
該ユーザが選択する該番組属性および割り当てられた重要性レベルと同一の表示画面上に選択可能なサーチオプションを表示し、該番組ガイドシステムに命令することにより、該番組属性および該番組属性に割り当てられた重要性レベルに基づいて、該所与の番組に関連する番組リスト項目を見つけ出すことと
を包含する、方法。
【請求項９】  前記番組ガイドシステムに前記所与の番組に関する前記複数の番組属性をセーブさせる機会を前記ユーザに提供することをさらに包含する、請求項８に記載の方法。
【請求項１０】  前記番組ガイドシステムに前記所与の番組に関する前記複数の番組属性および該複数の番組属性に割り当てられた重要性レベルをセーブさせる機会を前記ユーザに提供することをさらに包含する、請求項９に記載の方法。
【請求項１１】  前記所与の番組に関する前記セーブされた複数の番組属性を削除する機会を前記ユーザに提供することをさらに包含する、請求項９に記載の方法。
【請求項１２】  前記番組ガイドシステムが前記属性および前記属性に割り当てられた重要性レベルに基づいて見つけ出した番組リスト項目のリストを表示することをさらに包含する、請求項８に記載の方法。
【請求項１３】  前記リストから番組リスト項目を選択する機会を前記ユーザに提供することをさらに包含する、請求項１２に記載の方法。
【請求項１４】  前記リストから選択された特定の番組リスト項目に関連する情報を表示することをさらに包含する、請求項１３に記載の方法。
【請求項１５】  前記リストから特定の番組に関するリスト項目が選択された場合に、該特定の番組にチューニングすることをさらに包含する、請求項１３に記載の方法。
【請求項１６】  テレビ番組リスト項目をサーチする双方向テレビ番組ガイドシステムであって、
所与の番組に関する映像を含む表示画面を表示する手段と、
該所与の番組に関する映像が表示されている間に、ユーザがリモコン上の単一のキーを用いて、該番組ガイドシステムに命令することにより、該所与の番組の属性に基づいて該所与の番組に関連する番組リスト項目を見つけ出すことを可能にする手段と、
該システムによって見つけ出された該番組リスト項目を含む表示画面を表示する手段と
を備える、双方向テレビ番組ガイドシステム。
【請求項１７】  前記システムによって見つけ出された前記番組リスト項目を表示のためにソートする手段をさらに備える、請求項１６に記載のシステム。
【請求項１８】  前記表示された番組リスト項目の中から任意の番組リスト項目を選択する機会を前記ユーザに提供する手段をさらに備える、請求項１６に記載のシステム。
【請求項１９】  前記表示されたリスト項目の中から特定の番組に関するリスト項目を前記ユーザが選択した場合に、該特定の番組にチューニングする手段をさらに備える、請求項１８に記載のシステム。
【請求項２０】  現在の番組をリスト化する前記表示されたリスト項目の中から特定のリスト項目を前記ユーザが選択した場合に、現在の番組にチューニングする手段をさらに備える、請求項１８に記載のシステム。
【請求項２１】  前記ユーザが特定のリスト項目を選択した場合に、前記表示されたリスト項目の中の特定のリスト項目に関連する情報を含む情報表示画面を表示する手段をさらに備える、請求項１８に記載のシステム。
【請求項２２】  前記所与の番組の属性に基づいて番組を見つけ出す手段をさらに備える、請求項１６に記載のシステム。
【請求項２３】  ユーザテレビ機器と、該ユーザテレビ機器とインターフェースをとるリモコンとを有する双方向テレビ番組ガイドシステムであって、該システムは、
所与の番組に関する映像を含む表示画面を表示する手段と、
該所与の番組に関する映像が表示されている間に、該ユーザが該リモコン上の単一のキーを用いて、該番組ガイドシステムに命令することにより、該所与の番組に関する複数の番組属性を含む表示画面を表示することを可能にする手段と、
該表示画面上の番組属性に様々な重要性レベルを割り当てる機会を該ユーザに提供する手段と、
該ユーザが選択する該番組属性および割り当てられた重要性レベルと同一の表示画面上に選択可能なサーチオプションを表示し、該番組ガイドシステムに命令することにより、該番組属性および該番組属性に割り当てられた重要性レベルに基づいて、該所与の番組に関連する番組リスト項目を見つけ出す手段と
を備える、双方向テレビ番組ガイドシステム。
【請求項２４】  前記番組ガイドシステムに前記所与の番組に関する前記複数の番組属性をセーブさせる機会を前記ユーザに提供する手段をさらに備える、請求項２３に記載のシステム。
【請求項２５】  前記番組ガイドシステムに前記所与の番組に関する前記複数の番組属性および該複数の番組属性に割り当てられた重要性レベルをセーブさせる機会を前記ユーザに提供する手段をさらに備える、請求項２４に記載のシステム。
【請求項２６】  前記所与の番組に関する前記セーブされた複数の番組属性を削除する機会を前記ユーザに提供する手段をさらに備える、請求項２４に記載のシステム。
【請求項２７】  前記番組ガイドシステムが前記属性および前記属性に割り当てられた重要性レベルに基づいて見つけ出した番組リスト項目のリストを表示する手段をさらに備える、請求項２３に記載のシステム。
【請求項２８】  前記リストから番組リスト項目を選択する機会を前記ユーザに提供する手段をさらに備える、請求項２７に記載のシステム。
【請求項２９】  前記リストから選択された特定の番組リスト項目に関連する情報を表示する手段をさらに備える、請求項２８に記載のシステム。
【請求項３０】  前記リストから特定の番組に関するリスト項目が選択された場合に、該特定の番組にチューニングする手段をさらに備える、請求項２８に記載のシステム。
【請求項３１】  テレビ番組リスト項目をサーチする方法であって、
所与の番組に興味を示す機会をユーザに提供することと、
該所与の番組に興味を示している該ユーザに応答して、該所与の番組に関連する属性のオンスクリーンリストを表示することと、
少なくとも１つの属性を選択することにより、サーチのパラメータを定義する機会を該ユーザに提供することと、
該双方向テレビ番組ガイドを用いて該サーチをセーブする機会を該ユーザに提供することと
を包含する、方法。
【請求項３２】  セーブされたサーチを選択する機会を前記ユーザに提供することと、
該選択されたセーブされたサーチに関連する番組リスト項目のリストを表示することと
をさらに包含する、請求項３１に記載の方法。
【請求項３３】  セーブされたサーチに名前を付ける機会を前記ユーザに提供すること
をさらに包含する、請求項３１に記載の方法。
【請求項３４】  テレビ番組リスト項目をサーチするための双方向テレビ番組ガイドシステムであって、
所与の番組に興味を示す機会をユーザに提供する手段と、
該所与の番組に興味を示している該ユーザに応答して、該所与の番組に関連する属性のオンスクリーンリストを表示する手段と、
少なくとも１つの属性を選択することにより、サーチのパラメータを定義する機会を該ユーザに提供する手段と、
該双方向テレビ番組ガイドを用いて該サーチをセーブする機会を該ユーザに提供する手段と
を備える、双方向テレビ番組ガイドシステム。
【請求項３５】  セーブされたサーチを選択する機会を前記ユーザに提供する手段と、
該選択されたセーブされたサーチに関連する番組リスト項目のリストを表示する手段と
をさらに備える、請求項３４に記載のシステム。
【請求項３６】  セーブされたサーチに名前を付ける機会を前記ユーザに提供する手段
をさらに備える、請求項３４に記載のシステム。